(57)【要約】      （修正有）【課題】流体状の燃料が貯蔵されるシリンダーを提供する。【解決手段】シリンダーＴは、流体状の燃料が貯蔵される少なくとも１つの本体１と、本体１に配置され、本体１から、又は本体１へと、流体状の燃料を供給する少なくとも１つのバルブ２と、本体１に配置される少なくとも１つのハンドル３と、ハンドル３を本体１に接続する少なくとも１つのカラー４と、を備える。カラー４の内側に設けられ、接続されるシリンダーＴに固有の少なくとも１つの視覚的なコードを有し、視覚的なコードが２次元コード又はバーコードの形式である、少なくとも１つの識別子５を備える。【選択図】図１
0003217018.tif 000002
【実用新案登録請求の範囲】
【請求項１】
流体状の燃料が貯蔵される少なくとも１つの本体（１）と、前記本体（１）に配置され、前記本体（１）から、又は前記本体（１）へと、流体状の燃料を供給する少なくとも１つのバルブ（２）と、前記本体（１）に配置される少なくとも１つのハンドル（３）と、前記ハンドル（３）を前記本体（１）に接続する少なくとも１つのカラー（４）と、を備えるシリンダー（Ｔ）において、
前記カラー（４）の内側に設けられ、接続される前記シリンダー（Ｔ）に固有の少なくとも１つの視覚的なコード（６）を有する、少なくとも１つの識別子（５）を備えることを特徴とする、シリンダー（Ｔ）。
【請求項２】
前記識別子（５）は、前記カラー（４）の内側に配置されることを特徴とする、請求項１に記載のシリンダー（Ｔ）。
【請求項３】
前記ハンドル（３）は、前記バルブ（２）の周辺に配置されることを特徴とする、請求項１に記載のシリンダー（Ｔ）。
【請求項４】
前記視覚的なコード（６）は、バーコードの形式であることを特徴とする、請求項１に記載のシリンダー（Ｔ）。
【請求項５】
前記視覚的なコード（６）は、２次元コードの形式であることを特徴とする、請求項１に記載のシリンダー（Ｔ）。
【請求項６】
前記識別子（５）は、前記カラー（４）に接続するプレート状であることを特徴とする、請求項１に記載のシリンダー（Ｔ）。
【請求項７】
前記識別子（５）は、少なくとも１つの孔（９）を含むことを特徴とする、請求項６に記載のシリンダー（Ｔ）。
【請求項８】
前記孔（９）は、前記識別子（５）の中心に設けられることを特徴とする、請求項７に記載のシリンダー（Ｔ）。
【請求項９】
前記識別子（５）は、少なくとも２つの視覚的なコード（６）を含むことを特徴とする、請求項１に記載のシリンダー（Ｔ）。
【請求項１０】
前記識別子（５）は、少なくとも１つの製造番号（７）を含むことを特徴とする、請求項１に記載のシリンダー（Ｔ）。
【請求項１１】
前記識別子（５）は、少なくとも１つのブランド（８）情報を含むことを特徴とする、請求項１に記載のシリンダー（Ｔ）。
【考案の詳細な説明】
【技術分野】
【０００１】
（関連のある技術分野）
本考案は、流体状の燃料が貯蔵されるシリンダーに関する。
【背景技術】
【０００２】
例えば、天然ガス、プロパンガス、ブタンガス、ＬＰＧ、混合ガス等のガス燃料は、使用者へと運ぶために、高圧の下、液化され、シリンダーに貯蔵される。購入されたシリンダーは、使用者によって、オーブン、加熱ボイラ、給湯器、及び同様のデバイスに接続して使用される。シリンダー内の燃料を使い切ると、使用者は空のシリンダーを充填されたものに交換する。空のシリンダーは、再充填するために充填設備へと販売業者によって戻され、充填後、使用者に返却される。
【０００３】
そのような詰め替え可能なシリンダーを充填し、充填設備から販売業者に戻し、販売業者によって使用者に販売し、使用者から受け取った空のシリンダーの充填設備への配送を、再び販売業者によって追跡することは、セキュリティのために最も重要なことである。シリンダーが追跡されていない場合、配給業者は、法律に従い、刑事上の制裁を受け、セキュリティの観点から、無許可の団体によるシリンダーの再充填、及び使用者への販売を含む深刻な問題に直面する可能性がある。さらに、そのような無許可の充填において、異なる添加剤がシリンダーに導入され、燃料の質が悪化するかもしれない。このことは、使用者の安全性に対して危険性を有するだけでなく、オリジナルのシリンダーのブランド価値を低下させる。さらに、シリンダーが追跡されていない場合、安全性を脅かす出来事（例えば、事故や爆発など）が起きると、事故の原因、又は責任者に関して十分な情報を得ることができない。さらに、シリンダーを追跡することができない場合、シリンダーの在庫追跡を効率的な方法で行うことができない。
【０００４】
米国特許出願公開第２０１２／１８７１９７号で開示されるような技術水準において、ＲＦＩＤ（Ｒａｄｉｏ  Ｆｒｅｑｕｅｎｃｙ  Ｉｄｅｎｔｉｆｉｃａｔｉｏｎ）要素がシリンダーを追跡するために用いられるかもしれない。しかしながら、前記ＲＦＩＤ要素は、高価であり、また、磁場の影響を受けるため、前記要素は容易に壊れやすい。シリンダーの充填の回数、及びシリンダーの輸送中に受ける動きを考慮すると、ＲＦＩＤ要素はシリンダーの追跡に好ましくない。
【考案の概要】
【０００５】
本考案において、流体状の燃料が貯蔵されるシリンダーが提供される。前記シリンダーは、流体状の燃料が貯蔵される少なくとも１つの本体と、本体に配置され、本体から、又は本体へと、流体状の燃料を供給する少なくとも１つのバルブと、本体に配置される少なくとも１つのハンドルと、前記ハンドルを本体に接続する少なくとも１つのカラーと、前記カラーの内側に設けられ、接続されるシリンダーに固有の少なくとも１つの視覚的なコードを有する、少なくとも１つの識別子と、を備える。
【０００６】
本考案に係るシリンダーにおいて、識別子はカラーの内側に設けられるため、識別子上の視覚的なコードが壊れることを防ぐ。それゆえ、外的要因により識別子が壊れることを防ぎ、識別子を長持ちさせる。
【０００７】
（本考案の目的）
本考案の目的は、追跡されるシリンダー、各々のシリンダーに対して異なる識別子を備えるシリンダー、及び丈夫で長持ちする識別子を備えるシリンダーを提供することである。
【０００８】
（図面の説明）
本考案に係るシリンダーの例示的な実施形態は、添付の図面で示される。
【図面の簡単な説明】
【０００９】
【図１】本考案に係るシリンダーの斜視図
【図２】本考案に係るシリンダーに用いられる識別子の詳細図
【考案を実施するための形態】
【００１０】
（考案の説明）
流体状の燃料（例えば、ＬＰＧ等の液化ガス燃料）は、使用者へと運ぶために、シリンダーに貯蔵される。ガス燃料が貯蔵されるシリンダーは、使用地域及び本来の目的に基づいて様々な形状及び大きさ（例えば、２ｋｇのキャンピングシリンダー、１２ｋｇの家庭用シリンダー、２４ｋｇ及び４５ｋｇの工業用シリンダー等）を有してもよい。前記シリンダー内の燃料を使い切ると、再充填するために、シリンダーは充填設備に運ばれる。充填設備、販売業者、及び使用者間を移動する際、シリンダーの追跡は、セキュリティ及び在庫追跡において最も重要である。それゆえ、本考案において、追跡可能なシリンダーが提供される。
【００１１】
図１に示すように、本考案に係るシリンダー（Ｔ）は、流体状の燃料が貯蔵される少なくとも１つの本体（１）と、本体（１）に配置され、本体（１）から、又は本体（１）へと、流体状の燃料を供給する少なくとも１つのバルブ（２）と、本体（１）、好ましくは、前記バルブ（２）の周辺に配置される少なくとも１つのハンドル（３）と、前記ハンドル（３）を本体（１）に接続する少なくとも１つのカラー（４）と、好ましくは前記カラー（４）の内側（すなわち、バルブ（２）に面する部分）に設けられ、接続されるシリンダー（Ｔ）に固有の少なくとも１つの視覚的なコード（６）を有する、少なくとも１つの識別子（５）と、を備える。図２に示す視覚的なコード（６）は、シリンダー（Ｔ）の識別（アイデンティティ）として役立ち、シリンダー（Ｔ）の、製造番号、製造日、重量、再充填日、及び検査日等の情報は、視覚的なコード（６）によって取得され得る。
【００１２】
本考案の例示的な実施形態では、前記識別子（５）の視覚的なコード（６）は本考案に係るシリンダー（Ｔ）の充填、販売業者への搬送、使用者への販売、及び再充填設備への搬送の際に読取機（ｒｅａｄｅｒ）によって読み取られるため、シリンダー（Ｔ）は簡易で効率的な方法で追跡され得る。前記識別子（５）がカラー（４）の内側に設けられるという事実により、識別子（５）上の視覚的なコード（６）が、外側の環境から損傷を受けることを防ぎ、識別子（５）を丈夫で長持ちさせる。
【００１３】
本考案の例示的な実施形態では、前記視覚的なコード（６）は、バーコードの形式である。しかしながら、シリンダー（Ｔ）に固有に製造され得るバーコードの数が限られており、バーコードは誤り訂正のデータを含まないため、視覚的なコード（６）としてバーコードを用いることは好ましことではないかもしれない。それゆえ、本考案の好ましい実施形態では、視覚的なコード（６）は２次元コードの形式である。シリンダー（Ｔ）に固有に製造され得る２次元コードの数は、バーコードの数よりも多く、２次元コードは誤り訂正のデータを含み得る（例えば、２次元コードの一部が損傷を受けたとしても、２次元コードの内容は誤り訂正のデータによって適切に解読される）ため、２次元コードの使用はバーコードの使用よりも有利である。さらに、視覚的なコード（６）は、バーコード又は２次元コードを視覚的なコード（６）として用いて、例えば、カメラを有する携帯電話によって読み取られる。このように、使用者が、必要なときに、シリンダー（Ｔ）に関する情報を得るために、電話を用いて視覚的なコード（６）を読み取ることが可能になる。
【００１４】
本考案の他の好ましい実施形態では、前記識別子（５）は、カラー（４）に接続されるプレート状（すなわちシート状）である。本実施形態では、識別子（５）は、カラー（４）と接続するための少なくとも１つの孔（９）を含む。前記孔（９）は、好ましくは、識別子（５）の中心に設けられる。本実施形態では、プレート状の識別子（５）は、好ましくは、リベットによりカラー（４）に接続される。このように、識別子（５）は、実用的で信頼性のある方法でカラー（４）に接続される。さらに、リベット接続であるため、前記識別子（５）が損傷を受けた場合、識別子（５）は、簡易な方法で変更され得る。
【００１５】
本考案の他の好ましい実施形態では、前記識別子（５）は少なくとも２つの視覚的なコード（６）を含む。本実施形態では、視覚的なコード（６）の１つが損傷を受け、又は適切に読み取れない場合には、他の視覚的なコード（６）が読み取られ得る。
【００１６】
本考案の他の好ましい実施形態では、前記識別子（５）は、少なくとも１つの製造番号（７）を含む。識別子上の視覚的なコードが完全に損傷を受けた場合、製造番号は、シリンダーを識別するために、手動で、又はＯＣＲ（視覚的な文字認識）の方法によって、システムへと入力される。
【００１７】
他の好ましい実施形態では、識別子（５）は、少なくとも１つのブランド（８）情報を含む。
【００１８】
本考案に係るシリンダー（Ｔ）において、識別子（５）はカラー（４）の内側に配置されるため、識別子上の視覚的なコード（６）が損傷を受けることを防ぎ、それゆえ、識別子（５）を長持ちさせる。
【００１９】
図面に示される全ての部分に参照数字を個々に割り当て、これらの番号に対応する用語を以下に記載する。
【符号の説明】
【００２０】
Ｔ  シリンダー
１  本体
２  バルブ
３  ハンドル
４  カラー
５  識別子
６  視覚的なコード
７  製造番号
８  ブランド
９  孔
【図１】
0003217018.tif 000003
【図２】
0003217018.tif 000004
【手続補正書】
【提出日】平成29年2月28日(2017.2.28)
【手続補正１】
【補正対象書類名】実用新案登録請求の範囲
【補正対象項目名】全文
【補正方法】変更
【補正の内容】
【実用新案登録請求の範囲】
【請求項１】
流体状の燃料が貯蔵される少なくとも１つの本体（１）と、前記本体（１）に配置され、前記本体（１）から、又は前記本体（１）へと、流体状の燃料を供給する少なくとも１つのバルブ（２）と、前記本体（１）に配置される少なくとも１つのハンドル（３）と、前記ハンドル（３）を前記本体（１）に接続する少なくとも１つのカラー（４）と、を備えるシリンダー（Ｔ）において、
前記カラー（４）の内側に設けられ、接続される前記シリンダー（Ｔ）に固有の少なくとも２つの視覚的なコード（６）を有し、少なくとも１つの前記視覚的なコード（６）が２次元コードの形式である、少なくとも１つの識別子（５）を備えることを特徴とする、シリンダー（Ｔ）。
【請求項２】
前記識別子（５）は、前記カラー（４）の内側に配置されることを特徴とする、請求項１に記載のシリンダー（Ｔ）。
【請求項３】
前記ハンドル（３）は、前記バルブ（２）の周辺に配置されることを特徴とする、請求項１に記載のシリンダー（Ｔ）。
【請求項４】
前記視覚的なコード（６）は、バーコードの形式であることを特徴とする、請求項１に記載のシリンダー（Ｔ）。
【請求項５】
前記識別子（５）は、前記カラー（４）に接続するプレート状であることを特徴とする、請求項１に記載のシリンダー（Ｔ）。
【請求項６】
前記識別子（５）は、少なくとも１つの孔（９）を含むことを特徴とする、請求項５に記載のシリンダー（Ｔ）。
【請求項７】
前記孔（９）は、前記識別子（５）の中心に設けられることを特徴とする、請求項６に記載のシリンダー（Ｔ）。
【請求項８】
前記識別子（５）は、少なくとも１つの製造番号（７）を含むことを特徴とする、請求項１に記載のシリンダー（Ｔ）。
【請求項９】
前記識別子（５）は、少なくとも１つのブランド（８）情報を含むことを特徴とする、請求項１に記載のシリンダー（Ｔ）。
【手続補正書】
【提出日】平成29年6月2日(2017.6.2)
【手続補正１】
【補正対象書類名】実用新案登録請求の範囲
【補正対象項目名】全文
【補正方法】変更
【補正の内容】
【実用新案登録請求の範囲】
【請求項１】
流体状の燃料が貯蔵される少なくとも１つの本体（１）と、前記本体（１）に配置され、前記本体（１）から、又は前記本体（１）へと、流体状の燃料を供給する少なくとも１つのバルブ（２）と、前記本体（１）に配置される少なくとも１つのハンドル（３）と、前記ハンドル（３）を前記本体（１）に接続する少なくとも１つのカラー（４）と、を備えるシリンダー（Ｔ）において、
前記カラー（４）の内側に設けられ、接続される前記シリンダー（Ｔ）に固有の少なくとも１つの視覚的なコード（６）を有し、前記視覚的なコード（６）が２次元コード又はバーコードの形式である、少なくとも１つの識別子（５）を備えることを特徴とする、シリンダー（Ｔ）。
【請求項２】
前記識別子（５）は、前記カラー（４）の内側に配置されることを特徴とする、請求項１に記載のシリンダー（Ｔ）。
【請求項３】
前記識別子（５）は、前記カラー（４）に接続するプレート状であることを特徴とする、請求項１に記載のシリンダー（Ｔ）。
【請求項４】
前記識別子（５）は、少なくとも１つの孔（９）を含むことを特徴とする、請求項５に記載のシリンダー（Ｔ）。
【請求項５】
前記孔（９）は、前記識別子（５）の中心に設けられることを特徴とする、請求項６に記載のシリンダー（Ｔ）。
【請求項６】
前記識別子（５）は、少なくとも１つの製造番号（７）を含むことを特徴とする、請求項１に記載のシリンダー（Ｔ）。
【請求項７】
前記識別子（５）は、少なくとも１つのブランド（８）情報を含むことを特徴とする、請求項１に記載のシリンダー（Ｔ）。
【請求項８】
前記識別子（５）は、少なくとも２つの視覚的なコード（６）を含むことを特徴とする、請求項１に記載のシリンダー（Ｔ）。
【手続補正２】
【補正対象書類名】明細書
【補正対象項目名】全文
【補正方法】変更
【補正の内容】
【考案の詳細な説明】
【技術分野】
【０００１】
（関連のある技術分野）
本考案は、流体状の燃料が貯蔵されるシリンダーに関する。
【背景技術】
【０００２】
例えば、天然ガス、プロパンガス、ブタンガス、ＬＰＧ、混合ガス等のガス燃料は、使用者へと運ぶために、高圧の下、液化され、シリンダーに貯蔵される。購入されたシリンダーは、使用者によって、オーブン、加熱ボイラ、給湯器、及び同様のデバイスに接続して使用される。シリンダー内の燃料を使い切ると、使用者は空のシリンダーを充填されたものに交換する。空のシリンダーは、再充填するために充填設備へと販売業者によって戻され、充填後、使用者に返却される。
【０００３】
そのような詰め替え可能なシリンダーを充填し、充填設備から販売業者に戻し、販売業者によって使用者に販売し、使用者から受け取った空のシリンダーの充填設備への配送を、再び販売業者によって追跡することは、セキュリティのために最も重要なことである。シリンダーが追跡されていない場合、配給業者は、法律に従い、刑事上の制裁を受け、セキュリティの観点から、無許可の団体によるシリンダーの再充填、及び使用者への販売を含む深刻な問題に直面する可能性がある。さらに、そのような無許可の充填において、異なる添加剤がシリンダーに導入され、燃料の質が悪化するかもしれない。このことは、使用者の安全性に対して危険性を有するだけでなく、オリジナルのシリンダーのブランド価値を低下させる。さらに、シリンダーが追跡されていない場合、安全性を脅かす出来事（例えば、事故や爆発など）が起きると、事故の原因、又は責任者に関して十分な情報を得ることができない。さらに、シリンダーを追跡することができない場合、シリンダーの在庫追跡を効率的な方法で行うことができない。
【０００４】
米国特許出願公開第２０１２／１８７１９７号で開示されるような技術水準において、ＲＦＩＤ（Ｒａｄｉｏ  Ｆｒｅｑｕｅｎｃｙ  Ｉｄｅｎｔｉｆｉｃａｔｉｏｎ）要素がシリンダーを追跡するために用いられるかもしれない。しかしながら、前記ＲＦＩＤ要素は、高価であり、また、磁場の影響を受けるため、前記要素は容易に壊れやすい。シリンダーの充填の回数、及びシリンダーの輸送中に受ける動きを考慮すると、ＲＦＩＤ要素はシリンダーの追跡に好ましくない。
【０００５】
国際公開第２０１３／１７８８９１号は、容器と、バルブと、キャップと、裏側において識別子を含む壊れやすい安全シールと、を備える、加圧下の流体を供給するデバイスを開示する。しかしながら、本識別子は追跡機能を提供することができない。
【０００６】
国際公開第２００６／０６０３３８号は、例えば、医療用酸素の投与のための運搬可能な、ガスシリンダー及びガスシリンダーバルブを搬送し、又は操作するための、ハンドル又はシュラウド（ｓｈｒｏｕｄ）等の外部装置を開示する。前記シュラウドにより、当該シリンダー及びバルブの操作工程において、向上した、安全性及び多用途性が提供される。また、一実施形態において、前記シュラウドは、シュラウドの位置をいかなる時も追跡できるような、使用者に見えない、ＲＦＩＤチップ又はバーコードを含んでもよい。しかしながら、前記ＲＦＩＤ要素は、高価であり、また磁場の影響を受けるため、前記要素は容易に壊れやすい。
【考案の概要】
【０００７】
本考案において、流体状の燃料が貯蔵されるシリンダーが提供される。前記シリンダーは、流体状の燃料が貯蔵される少なくとも１つの本体と、本体に配置され、本体から、又は本体へと、流体状の燃料を供給する少なくとも１つのバルブと、本体に配置される少なくとも１つのハンドルと、前記ハンドルを本体に接続する少なくとも１つのカラーと、前記カラーの内側に設けられ、接続されるシリンダーに固有の少なくとも１つの視覚的なコードを有する、少なくとも１つの識別子と、を備える。
【０００８】
本考案に係るシリンダーにおいて、識別子はカラーの内側に設けられるため、識別子上の視覚的なコードが壊れることを防ぐ。それゆえ、外的要因により識別子が壊れることを防ぎ、識別子を長持ちさせる。
【０００９】
（本考案の目的）
本考案の目的は、追跡されるシリンダー、各々のシリンダーに対して異なる識別子を備えるシリンダー、及び丈夫で長持ちする識別子を備えるシリンダーを提供することである。
【００１０】
（図面の説明）
本考案に係るシリンダーの例示的な実施形態は、添付の図面で示される。
【図面の簡単な説明】
【００１１】
【図１】本考案に係るシリンダーの斜視図
【図２】本考案に係るシリンダーに用いられる識別子の詳細図
【考案を実施するための形態】
【００１２】
（考案の説明）
流体状の燃料（例えば、ＬＰＧ等の液化ガス燃料）は、使用者へと運ぶために、シリンダーに貯蔵される。ガス燃料が貯蔵されるシリンダーは、使用地域及び本来の目的に基づいて様々な形状及び大きさ（例えば、２ｋｇのキャンピングシリンダー、１２ｋｇの家庭用シリンダー、２４ｋｇ及び４５ｋｇの工業用シリンダー等）を有してもよい。前記シリンダー内の燃料を使い切ると、再充填するために、シリンダーは充填設備に運ばれる。充填設備、販売業者、及び使用者間を移動する際、シリンダーの追跡は、セキュリティ及び在庫追跡において最も重要である。それゆえ、本考案において、追跡可能なシリンダーが提供される。
【００１３】
図１に示すように、本考案に係るシリンダー（Ｔ）は、流体状の燃料が貯蔵される少なくとも１つの本体（１）と、本体（１）に配置され、本体（１）から、又は本体（１）へと、流体状の燃料を供給する少なくとも１つのバルブ（２）と、本体（１）、好ましくは、前記バルブ（２）の周辺に配置される少なくとも１つのハンドル（３）と、前記ハンドル（３）を本体（１）に接続する少なくとも１つのカラー（４）と、好ましくは前記カラー（４）の内側（すなわち、バルブ（２）に面する部分）に設けられ、接続されるシリンダー（Ｔ）に固有の少なくとも１つの視覚的なコード（６）を有する、少なくとも１つの識別子（５）と、を備える。図２に示す視覚的なコード（６）は、シリンダー（Ｔ）の識別（アイデンティティ）として役立ち、シリンダー（Ｔ）の、製造番号、製造日、重量、再充填日、及び検査日等の情報は、視覚的なコード（６）によって取得され得る。
【００１４】
本考案の例示的な実施形態では、前記識別子（５）の視覚的なコード（６）は本考案に係るシリンダー（Ｔ）の充填、販売業者への搬送、使用者への販売、及び再充填設備への搬送の際に読取機（ｒｅａｄｅｒ）によって読み取られるため、シリンダー（Ｔ）は簡易で効率的な方法で追跡され得る。前記識別子（５）がカラー（４）の内側に設けられるという事実により、識別子（５）上の視覚的なコード（６）が、外側の環境から損傷を受けることを防ぎ、識別子（５）を丈夫で長持ちさせる。
【００１５】
本考案の例示的な実施形態では、前記視覚的なコード（６）は、バーコードの形式である。しかしながら、シリンダー（Ｔ）に固有に製造され得るバーコードの数が限られており、バーコードは誤り訂正のデータを含まないため、視覚的なコード（６）としてバーコードを用いることは好ましことではないかもしれない。それゆえ、本考案の好ましい実施形態では、視覚的なコード（６）は２次元コードの形式である。シリンダー（Ｔ）に固有に製造され得る２次元コードの数は、バーコードの数よりも多く、２次元コードは誤り訂正のデータを含み得る（例えば、２次元コードの一部が損傷を受けたとしても、２次元コードの内容は誤り訂正のデータによって適切に解読される）ため、２次元コードの使用はバーコードの使用よりも有利である。さらに、視覚的なコード（６）は、バーコード又は２次元コードを視覚的なコード（６）として用いて、例えば、カメラを有する携帯電話によって読み取られる。このように、使用者が、必要なときに、シリンダー（Ｔ）に関する情報を得るために、電話を用いて視覚的なコード（６）を読み取ることが可能になる。
【００１６】
本考案の他の好ましい実施形態では、前記識別子（５）は、カラー（４）に接続されるプレート状（すなわちシート状）である。本実施形態では、識別子（５）は、カラー（４）と接続するための少なくとも１つの孔（９）を含む。前記孔（９）は、好ましくは、識別子（５）の中心に設けられる。本実施形態では、プレート状の識別子（５）は、好ましくは、リベットによりカラー（４）に接続される。このように、識別子（５）は、実用的で信頼性のある方法でカラー（４）に接続される。さらに、リベット接続であるため、前記識別子（５）が損傷を受けた場合、識別子（５）は、簡易な方法で変更され得る。
【００１７】
本考案の他の好ましい実施形態では、前記識別子（５）は少なくとも２つの視覚的なコード（６）を含む。本実施形態では、視覚的なコード（６）の１つが損傷を受け、又は適切に読み取れない場合には、他の視覚的なコード（６）が読み取られ得る。
【００１８】
本考案の他の好ましい実施形態では、前記識別子（５）は、少なくとも１つの製造番号（７）を含む。識別子上の視覚的なコードが完全に損傷を受けた場合、製造番号は、シリンダーを識別するために、手動で、又はＯＣＲ（視覚的な文字認識）の方法によって、システムへと入力される。
【００１９】
他の好ましい実施形態では、識別子（５）は、少なくとも１つのブランド（８）情報を含む。
【００２０】
本考案に係るシリンダー（Ｔ）において、識別子（５）はカラー（４）の内側に配置されるため、識別子上の視覚的なコード（６）が損傷を受けることを防ぎ、それゆえ、識別子（５）を長持ちさせる。
【００２１】
図面に示される全ての部分に参照数字を個々に割り当て、これらの番号に対応する用語を以下に記載する。
【符号の説明】
【００２２】
Ｔ  シリンダー
１  本体
２  バルブ
３  ハンドル
４  カラー
５  識別子
６  視覚的なコード
７  製造番号
８  ブランド
９  孔
【手続補正書】
【提出日】平成29年12月28日(2017.12.28)
【手続補正１】
【補正対象書類名】実用新案登録請求の範囲
【補正対象項目名】全文
【補正方法】変更
【補正の内容】
【実用新案登録請求の範囲】
【請求項１】
流体状の燃料が貯蔵される少なくとも１つの本体（１）と、前記本体（１）に配置され、前記本体（１）から、又は前記本体（１）へと、流体状の燃料を供給する少なくとも１つのバルブ（２）と、前記本体（１）に配置される少なくとも１つのハンドル（３）と、前記ハンドル（３）を前記本体（１）に接続する少なくとも１つのカラー（４）と、を備えるシリンダー（Ｔ）において、
前記カラー（４）の内側に設けられ、接続される前記シリンダー（Ｔ）に固有の少なくとも１つの視覚的なコード（６）を有し、前記視覚的なコード（６）が２次元コード又はバーコードの形式である、少なくとも１つの識別子（５）を備えることを特徴とする、シリンダー（Ｔ）。
【請求項２】
前記識別子（５）は、前記カラー（４）の内側に配置されることを特徴とする、請求項１に記載のシリンダー（Ｔ）。
【請求項３】
前記識別子（５）は、前記カラー（４）に接続するプレート状であることを特徴とする、請求項１に記載のシリンダー（Ｔ）。
【請求項４】
前記識別子（５）は、少なくとも１つの孔（９）を含むことを特徴とする、請求項３に記載のシリンダー（Ｔ）。
【請求項５】
前記孔（９）は、前記識別子（５）の中心に設けられることを特徴とする、請求項４に記載のシリンダー（Ｔ）。
【請求項６】
前記識別子（５）は、少なくとも１つの製造番号（７）を含むことを特徴とする、請求項１に記載のシリンダー（Ｔ）。
【請求項７】
前記識別子（５）は、少なくとも１つのブランド（８）情報を含むことを特徴とする、請求項１に記載のシリンダー（Ｔ）。
【請求項８】
前記識別子（５）は、少なくとも２つの視覚的なコード（６）を含むことを特徴とする、請求項１に記載のシリンダー（Ｔ）。